(57)【特許請求の範囲】
【請求項１】
上部に着脱可能に配置されたアンテナ付きのＧＰＳ受信ユニットを有し、前記ＧＰＳ受信ユニットに接続ケーブルを介して接続されたコントローラと、前記ＧＰＳ受信ユニットおよびコントローラの駆動電源用バッテリとを備えたＧＰＳ受信機用ポールであって、
前記接続ケーブルをポール内部に配置するとともに、前記ポール上端および外周に、前記ケーブルの両端に接続されたコネクタ部を設け、各コネクタ部を介して前記ＧＰＳ受信ユニットと前記コントローラおよび前記バッテリとの間を接続したことを特徴とするＧＰＳ受信機用ポール。
【請求項２】
前記ＧＰＳ受信機用ポールは、前記ポールの外周に設けられた前記コネクタ部の近傍に前記コントローラおよびバッテリの取付台を設けたことを特徴とする請求項１記載のＧＰＳ受信機用ポール。
【発明の詳細な説明】
【０００１】
【発明の属する技術分野】
この発明は、ＧＰＳ受信機用ポールおよびＧＰＳ受信機に関する。
【０００２】
【従来の技術】
一般にキネマティック測量、特に誘導形測量では、例えば長さ約２ｍの測高用ポールの上端にＧＰＳ受信ユニットをねじ込み固定し、このＧＰＳ受信ユニットに一端が接続された防水形ケーブルの他端側をコントローラに接続している。
ケーブル長さは、キネマティック測量においては、２．５ｍ程度であり、ポールを持つ測定者が同時にコントローラをもって操作する。ポールの高さは、機種によっては、１ｍ程度の延長が可能な補助ポールの継足し又は伸縮により全高を可変できるようにしたものや、ワンタッチスライド式のポールも提供されている。
【０００３】
ＧＰＳ受信ユニットは、マイクロストリップアンテナと受信部とを、半球ドーム形などをした防滴形ケーシング内に組込んであり、また、ケーシング下部に駆動電源としてバッテリパックを脱着式に取付けている。
【０００４】
しかしながら、このような従来の構造には、特に、接続用ケーブルがポールに沿って表面に露出していたので、以下に説明する問題があった。
【０００５】
【発明が解決しようとする課題】
すなわち、図７（ａ），（ｂ）は、上述した従来例における不具合の状況を示している。同図において、１は、測定用ポール，２は、半球ドーム形ケーシング形状をしたＧＰＳ受信ユニットである。ＧＰＳ受信ユニット２の下部には、バッテリパック３が脱着式に取付けられ、ＧＰＳ受信ユニット２の一側部には、防水コネクタを介してケーブル５の一端が接続され、このケーブル５の下端がコントローラ４に接続されている。
【０００６】
測定者Ｍは、ポール１を片手で持ち、もう一方の手でコントローラ４を持ち、受信状況の把握や、ＧＰＳ受信ユニット２に対する操作を行う。
【０００７】
図７（ａ）においては、ポール１を短くして測定を行っている状態を示しており、この状態では、ケーブル５がたるんで測定者Ｍにまとわりつくため、作業性が悪く、さらに移動時などにおいてもたるんだケーブルが邪魔となり、しかも外力が加わった場合には、接続部分が容易にはずれたり断線の虞れがあった。
【０００８】
これに対し、図７（ｂ）では、ポール１をのばし、ＧＰＳ受信ユニット２位置を高くして測定している状態を示しており、この場合には、長時間にわたる定点測定中にバッテリ交換が容易にできず、また、ケーブル５に外力が加わった場合のコネクタ部分の接続状況の確認ができないほか、片手でしかポール１を支えられず、重心が高い位置にあるため、風などにより振られやすい欠点があった。
【０００９】
いずれの場合にあっても、ケーブル５が露出していることにより、接続のはずれ、断線などの不安があり、しかも、コントローラ４を手で持ちながらキー入力操作をしなければならないため、測定作業が不安定となっていた。
【００１０】
この発明は、以上の問題を解決するものであり、ケーブルをポール内に配置するか、あるいはケーブル自体をなくすことによって作業性が改善できるＧＰＳ受信機用ポールおよびＧＰＳ受信機を提供することを目的としている。
【００１１】
【課題を解決するための手段】
前記目的を達成するため、請求項１に係る発明は、上部に着脱可能に配置されたアンテナ付きのＧＰＳ受信ユニットを有し、前記ＧＰＳ受信ユニットに接続ケーブルを介して接続されたコントローラと、前記ＧＰＳ受信ユニットおよびコントローラの駆動電源用バッテリとを備えたＧＰＳ受信機用ポールであって、前記接続ケーブルをポール内部に配置するとともに、前記ポール上端および外周に、前記ケーブルの両端に接続されたコネクタ部を設け、各コネクタ部を介して前記ＧＰＳ受信ユニットと前記コントローラおよび前記バッテリとの間を接続した。
この構成によれば、接続ケーブルがポールの外部に露出することがないので、これによる不具合を解消できる。
また、コネクタ部を介してＧＰＳ受信ユニットとバッテリとの間も電気的に接続するので、バッテリも測定者の手元に位置させることができ、作業中のバッテリ交換を容易に行える。
請求項２に係る発明は、前記ＧＰＳ受信機用ポールにおいて、前記ポールの外周に設けられた前記コネクタ部の近傍に前記コントローラおよびバッテリの取付台を設けた。
この構成によれば、測定者は、コントローラを持つ必要がなくなるので、両手でポールを支えることもでき、ポールの立設安定性を確保できるほか、キー入力操作を安定して行える。
【００１２】
【発明の実施の形態】
以下、本発明の好ましい実施の形態について添付図面を参照にして詳細に説明する。図１、２はこの発明にかかかるＧＰＳ受信機用ポールの第一実施例を示している。なお、以下の説明においては、従来と同一もしくは相当する部分には、同一符号を付すとともに、異なる部分あるいは新たに付加された部分にのみ異なる符号を用いて説明する。
【００１３】
図１，2  に示したＧＰＳ受信機用ポール１は、上部に着脱可能に配置されたＧＰＳ受信ユニット２を有し、このＧＰＳ受信ユニット２に接続ケーブル５を介して接続されたコントローラ４と、ＧＰＳ受信ユニット２およびコントローラ４の駆動電源用バッテリパック３とを備えている。
【００１４】
ポール１の上端面には、接続ケーブル５の上端に接続されたコネクタソケット２４が取付けられている。一方、ＧＰＳ受信ユニット２の下面には、このソケット２４の外周に嵌合するジャケット２６と、ジャケット２６内にあって、ソケット２４の頂面に開口した複数の差込口２４ａに差込んで電気的に接続される複数のピンジャック２６ａとを備え、ジャケット２６をソケット２４に嵌合することで、ポール１に対して、ＧＰＳ受信ユニット２が着脱可能に結合される。
【００１５】
この結合状態において、ジャケット２６の外周より固定ねじ２８をねじ込むことにより、ＧＰＳ受信ユニット２をポール１に固定するようになっている。
【００１６】
ポール１の任意箇所であって、作業者Ｍの手の届く範囲内にある位置に、コネクタ取付けブロック１０が設けられている。このブロック１０には、中空状のポール１の内部に挿通されたケーブル５の一端側に接続したコネクタ部が設けられている。このコネクタ部には、コントローラコネクタソケット１２およびバッテリコネクタソケット１４が並列状態で、外部に突出するように配置されている。
【００１７】
これに対し、ポール１の周囲に配置されるコントローラ４には、これに接続した短いケーブル１６の先端にコネクタジャック１８が設けられ、このコネクタジャック１８をコネクタソケット１２に差込み、外周のねじ込みによって接続状態に固定するようにしている。
【００１８】
また、バッテリパック３は、従来とは異なり、ポール１のコントローラ４の近傍に配置されるもので、その上端に接続した短い電源ケーブル２０の先端にコネクタジャック２２を設け、前記と同様にこれをコネクタソケット１４に差込み、外周のねじ込みによって接続状態に固定するようにしている。
【００１９】
なお、接続ケーブル５は、ポール１の内部で若干の垂みが与えられ、ポール１の長さ変更に対応して伸縮みするか、あるいは、長さ変更毎に中継タップなどにより継足しを可能としている。
【００２０】
そして、ポール１の外周には、前記コントローラ４およびバッテリパック３を支持する取付台３０が、ポール１の長手方向に沿ってスライド可能に嵌合され、止めねじ３２によってポール１の任意の高さに固定できるようになっている。取付台３０の一側部には、一対のアーム３４がポール１の長手方向と直交するように突設され、このアーム３４の間にコントローラ４を配置し、チルトねじ３６により測定者Ｍの見やすい角度に応じた任意の傾斜角度に傾動可能に支持している。
【００２１】
また、取付台３０の他側部下部には、略Ｌ字形のバッテリ支持台３８が一体化され、バッテリパック３をこれに着脱可能に差込んで支持している。このように構成された本実施例のＧＰＳ受信機用ポール１においては、接続ケーブル５がポールの外部に露出することがないので、これによる不具合を解消できる。
【００２２】
また、図２にその使用状態を示すように、測定者Ｍはコントローラ４を持つ手が自由となり、両手でポール１を把持したり、キー入力操作も安定した姿勢で行えるほか、コントローラの画面を最も見やすい位置，角度に調整することができる。
【００２３】
なお、以上の実施例ではバッテリパック３をポール１の周囲に配置した場合を開示したが、バッテリパック３は、従来と同様にＧＰＳ受信ユニット２の下部に配置するようにしても良いことは勿論である。
【００２４】
図３，４は、この発明の第二実施例を示し、図３は、その回路構成を、図４は、その使用形態を示している。同図において、ＧＰＳ受信ユニット２は、ケーシング内部に配置されたマイクロストリップアンテナ４０、およびこれに接続した復調回路などの受信部４２を備えていることは、従来と同様であるが、この受信部４２の出力段には、送受信用の無線通信モジュール４４が接続されている。
【００２５】
一方、コントローラ４に設けたコントロール回路４８の入力段にも無線通信モジュール４６が接続され、両モジュール４４，４６のアンテナを介して無線通信によりＧＰＳ受信ユニット１とコントローラ４間のデータの授受を行っている。
【００２６】
この場合の無線通信距離は、非常に短いため極微弱な電波を使用すれば良く、各無線通信モジュール４４，４６の出力は小さなものでよいため、全体的な消費電力の増加もわずかで済む。
【００２７】
このように構成された実施例では、データ授受のためのケーブルが全く不要となる。なお、この実施例では、特に、図４に示すように、バッテリパック３のみＧＰＳ受信ユニット２の下部に抜差し可能に配置した形態を例示しているが、第一実施例と同様にポール１周囲にバッテリパック３を配置し、ポール内部の電源ケーブルによりＧＰＳ受信ユニット２に接続することも可能である。また、図４では取付台を省略しているが、前記実施例と同様にポール１に取付けることも可能である。
【００２８】
図５，６は、この発明の第三実施例を示している。この実施例においては、第二実施例における無線通信モジュール４４，４６に代えて、受信部４２の出力段およびコントロール回路４８の入力段に、ＬＥＤ，フォトカプラなどの組合わせによる光通信モジュール５０，５２を配置し、この光通信モジュール５０，５２を介してデータの授受を行うようにしたもので、ＧＰＳ受信ユニット２の下部およびコントローラ４の上部に設けた入出射窓（図示略）を対面させておくことにより、衛星から得られた電波信号を光通信によりコントローラ４側に送出できる。
【００２９】
この実施例においても、第二実施例と同様にデータ授受のためのケーブルが全く不要となるほか、光通信方式なので電波雑音などによる障害がなくなる。なお、この実施例では、特に図６に示すように、バッテリパック３のみＧＰＳ受信ユニット２の下部に抜差し可能に配置した形態を例示しているが、第一実施例と同様にポール１周囲にバッテリパック３を配置し、ポール内部の電源ケーブルによりＧＰＳ受信ユニット２に接続することも可能である。また、図６においても取付台を省略しているが、前記実施例と同様に取付けることもできることは勿論である。
【００３０】
【発明の効果】
以上各実施例により詳細に説明したように、請求項１又は２に係る発明のＧＰＳ受信機用ポールにあっては、ケーブルをポール内に内蔵出来るため、従来に比べてケーブルが露出していることによる不具合を解消できる。
【図面の簡単な説明】
【図１】この発明の第一実施例によるＧＰＳ受信機用ポールの要部を一部切り欠いて示す姿図である。
【図２】同受信機用ポールを使用した測定形態を示す姿図である。
【図３】この発明の第二実施例による電気的構成を示すブロック図である。
【図４】同第二実施例における測定形態を示す姿図である。
【図５】この発明の第三実施例による電気的構成を示すブロック図である。
【図６】同第三実施例における測定形態を示す姿図である。
【図７】（ａ），（ｂ）は従来の受信機用ポールを用いた測定形態を示す姿図である。
【符号の説明】
１  ポール
２  ＧＰＳ受信ユニット
３  バッテリパック
４  コントローラ
５  ケーブル
１２，１４  コネクタソケット
１８，２２  コネクタジャック
２４ａ  差込口
２６ａ  ピンジャック
３０  取付け台
４４，４６  無線通信モジュール
５０，５２  光通信モジュール
【図１】
0003933301.tif 000002
【図２】
0003933301.tif 000003
【図３】
0003933301.tif 000004
【図４】
0003933301.tif 000005
【図５】
0003933301.tif 000006
【図６】
0003933301.tif 000007
【図７】
0003933301.tif 000008